【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
ネットワークを介してコントロールポイントにデバイス情報を通知する通信装置であって、
前記コントロールポイントにデバイス情報を通知する第１の通知手段と、
前記第１の通知手段によりデバイス情報が通知された後に、所定のモードでの動作に移行するか否かを判断する第１の判断手段と、
前記第１の判断手段により所定のモードでの動作に移行すると判断されると、前記デバイス情報の有効期限を前記所定のモードでの動作に移行する前の前記デバイス情報の有効期限よりも長い有効期限に変更したデバイス情報を通知する第２の通知手段と、を有することを特徴とする通信装置。
【請求項２】
前記第２の通知手段は、前記所定のモードへの移行前に、前記デバイス情報を通知することを特徴とする請求項１に記載の通信装置。
【請求項３】
前記所定のモードの動作を終了するか否かを判断する第２の判断手段と、
前記第２の判断手段により所定のモードの動作を終了すると判断されると、前記第２の通知手段により通知したデバイス情報の有効期限を、前記所定のモードでの動作時の前記デバイス情報の有効期限よりも短い有効期限に変更したデバイス情報を通知する第３の通知手段と、を有することを特徴とする請求項１に記載の通信装置。
【請求項４】
前記第３の通知手段は、前記所定のモードを終了した後に、前記デバイス情報を通知することを特徴とする請求項３に記載の通信装置。
【請求項５】
前記所定のモードは、省電力モードであることを特徴とする請求項１に記載の通信装置。
【請求項６】
前記所定のモードは、通信装置間の直接通信モードであることを特徴とする請求項１に記載の通信装置。
【請求項７】
アクセスポイントを経由して通信を行う第１のモードと、前記アクセスポイントを経由せずに他の通信装置と通信を直接行う第２のモードとのうち、何れかのモードで通信を行う通信装置であって、
前記アクセスポイントにデバイス情報を通知する第１の通知手段と、
前記第１のモードから前記第２のモードに移行するか否かを判断する第１の判断手段と、
前記第１の判断手段により第２のモードに移行すると判断されると、前記デバイス情報の有効期限を前記第１のモードでの動作時の前記デバイス情報の有効期限よりも長い有効期限に変更したデバイス情報を通知する第２の通知手段と、を有することを特徴とする通信装置。
【請求項８】
前記第１の通知手段及び前記第２の通知手段による通知は、前記アクセスポイントを経由して他の通信装置に前記デバイス情報を通知することを特徴とする請求項７に記載の通信装置。
【請求項９】
前記アクセスポイントを経由して他の通信装置からデバイス情報を受信する受信手段と、
前記受信手段により受信されたデバイス情報に基づいて、デバイス情報の有効時間を更新する更新手段とを有することを特徴とする請求項７に記載の通信装置。
【請求項１０】
前記第２の通知手段は、前記他の通信装置におけるデバイス情報の有効時間と、自身のデバイス情報の有効時間とが同じになるように、前記第２のデバイス情報を前記他の通信装置に通知することを特徴とする請求項７に記載の通信装置。
【請求項１１】
ディスカバリ機能によりデバイス情報を通知する通信方法であって、
他のデバイスにデバイス情報を通知する第１の通知ステップと、
前記第１の通知ステップにおいてデバイス情報を通知した後に、所定のモードでの動作に移行するか否かを判断する判断ステップと、
前記判断ステップにより所定のモードでの動作に移行すると判断されると、前記デバイス情報の有効期限を前記所定のモードでの動作に移行する前の前記デバイス情報の有効期限よりも長い有効期限に変更したデバイス情報を通知する第２の通知ステップと、を有することを特徴とする通信方法。
【請求項１２】
ディスカバリ機能によりデバイス情報を通知する通信方法をコンピュータに実行させるコンピュータプログラムであって、
他のデバイスにデバイス情報を通知する第１の通知ステップと、
前記第１の通知ステップにおいてデバイス情報を通知した後に、所定のモードでの動作に移行するか否かを判断する判断ステップと、
前記判断ステップにより所定のモードでの動作に移行すると判断されると、前記デバイス情報の有効期限を前記所定のモードでの動作に移行する前の前記デバイス情報の有効期限よりも長い有効期限に変更したデバイス情報を通知する第２の通知ステップと、をコンピュータに実行させることを特徴とするコンピュータプログラム。
【手続補正２】
【補正対象書類名】明細書
【補正対象項目名】００１２
【補正方法】変更
【補正の内容】
【００１２】
本実施形態発明の通信装置は、ネットワークを介してコントロールポイントにデバイス情報を通知する通信装置であって、前記コントロールポイントにデバイス情報を通知する第１の通知手段と、前記第１の通知手段によりデバイス情報が通知された後に、所定のモードでの動作に移行するか否かを判断する第１の判断手段と、前記第１の判断手段により所定のモードでの動作に移行すると判断されると、前記デバイス情報の有効期限を前記所定のモードでの動作に移行する前の前記デバイス情報の有効期限よりも長い有効期限に変更したデバイス情報を通知する第２の通知手段と、を有することを特徴とする。
また、本発明の他の特徴とするところは、アクセスポイントを経由して通信を行う第１のモードと、前記アクセスポイントを経由せずに他の通信装置と通信を直接行う第２のモードとのうち、何れかのモードで通信を行う通信装置であって、前記アクセスポイントにデバイス情報を通知する第１の通知手段と、前記第１のモードから前記第２のモードに移行するか否かを判断する第１の判断手段と、前記第１の判断手段により第２のモードに移行すると判断されると、前記デバイス情報の有効期限を前記第１のモードでの動作時の前記デバイス情報の有効期限よりも長い有効期限に変更したデバイス情報を通知する第２の通知手段と、を有することを特徴とする。
【手続補正３】
【補正対象書類名】明細書
【補正対象項目名】００１３
【補正方法】変更
【補正の内容】
【００１３】
本発明の通信方法は、ディスカバリ機能によりデバイス情報を通知する通信方法であって、他のデバイスにデバイス情報を通知する第１の通知ステップと、前記第１の通知ステップにおいてデバイス情報を通知した後に、所定のモードでの動作に移行するか否かを判断する判断ステップと、前記判断ステップにより所定のモードでの動作に移行すると判断されると、前記デバイス情報の有効期限を前記所定のモードでの動作に移行する前の前記デバイス情報の有効期限よりも長い有効期限に変更したデバイス情報を通知する第２の通知ステップと、を有することを特徴とする。
【手続補正４】
【補正対象書類名】明細書
【補正対象項目名】００１４
【補正方法】変更
【補正の内容】
【００１４】
本発明のコンピュータプログラムは、ディスカバリ機能によりデバイス情報を通知する通信方法をコンピュータに実行させるコンピュータプログラムであって、他のデバイスにデバイス情報を通知する第１の通知ステップと、前記第１の通知ステップにおいてデバイス情報を通知した後に、所定のモードでの動作に移行するか否かを判断する判断ステップと、前記判断ステップにより所定のモードでの動作に移行すると判断されると、前記デバイス情報の有効期限を前記所定のモードでの動作に移行する前の前記デバイス情報の有効期限よりも長い有効期限に変更したデバイス情報を通知する第２の通知ステップと、をコンピュータに実行させることを特徴とする。